(57)【要約】【課題】取り外しの際に、防水キャップのうち把持すべき部分を明確に視認できる。【解決手段】ディップ成形される防水キャップ１１で、機器ケース２の下面における円筒状の開孔部２ｂに外嵌される円筒状の第１の部分１１Ａと、この第１の部分１１Ａの先端部に基端部が連続し第１の部分１１Ａより径が小さい円筒状の第２の部分１１Ｂと、この第２の部分１１Ｂの先端部に基端部が連続する筒状で、互いに対向する２つの平面部１１Ｂａ，１１Ｂａを有するとともに先端部が閉塞されている第２の部分１１Ｂとを備える。第２の部分１１Ｂは、基端部側から先端側に向かって断面積が徐々に小さくなっている。【選択図】  図２
2008103165.tif 000002
【特許請求の範囲】
【請求項１】
電子機器ケースにおける円筒状の開孔部を覆う防水キャップであって、
前記開孔部に外嵌される円筒状の第１の部分と、
前記第１の部分の先端側に配置され、かつ軸線方向に延びる少なくとも１つの平面部を有するとともに筒状で先端部が閉塞されている第２の部分とを備えることを特徴とする防水キャップ。
【請求項２】
前記第１の部分と第２の部分との間に、前記第１の部分より径が小さい円筒状の第３の部分が設けられていることを特徴とする請求項１記載の防水キャップ。
【請求項３】
前記第２の部分は、互いに対向して軸線方向に延びる２つの平面部を有することを特徴とする請求項１又は２記載の防水キャップ。
【請求項４】
前記第２の部分は、基端部側から先端側に向かって断面積が徐々に小さくなっていることを特徴とする請求項１〜３のいずれかに記載の防水キャップ。
【請求項５】
前記第１の部分は、内周面に凹凸が形成されていることを特徴とする請求項１〜４のいずれかに記載の防水キャップ。
【請求項６】
電子機器ケースにおける円筒状の開孔部から突出する接栓の突出部分を防水キャップにて覆う電子機器の防水構造であって、
前記防水キャップは、
前記開孔部に外嵌され、前記接栓の突出部分を覆った状態で前記接栓の突出部分先端の外側に位置する円筒状の第１の部分と、
前記第１の部分の先端側に配置され、かつ軸線方向に延びる少なくとも１つの平面部を有するとともに筒状で先端部が閉塞されている第２の部分とを備えることを特徴とする電子機器の防水構造。
【請求項７】
前記第１の部分と第２の部分との間に、前記第１の部分の先端部に基端部が連続し前記第１の部分より径が小さい円筒状で、前記接栓の突出部分を覆った状態で前記接栓の突出部分先端の外側に位置する第３の部分が設けられていることを特徴とする請求項６記載の電子機器の防水構造。
【請求項８】
前記第２の部分と第３の部分との寸法関係は、前記キャップの着脱時に前記第２の部分の平面部を把持した際に、前記第３の部分の内周面が前記接栓に接するかあるいは前記接栓との間に隙間を有するように設定されていることを特徴とする請求項７記載の電子機器の防水構造。
【発明の詳細な説明】
【技術分野】
【０００１】
本発明は、屋外に設けられる電子機器に用いられる、防水キャップおよび電子機器の防水構造に関するものである。
【背景技術】
【０００２】
従来より、屋外にて用いるアンテナや電子機器に対して、十分な防水効果が得られるように、給電線を接続する場所に防水キャップを設けることは知られている（例えば、特許文献１参照）。
【０００３】
ところで、屋外の光ケーブルを、屋外から屋内に光ファイバとして引き込むための装置として、光受信機（ＦＴＴＨ端末機）が知られている（例えば、特許文献２参照）。この光受信機は、光ファイバにて入力される光信号を、電気信号に変換するものである。
【０００４】
このような光受信機においては、光信号を変換して増幅した電気信号（テレビ放送信号）が、前記光受信機の機器ケースに設けられた出力端子から出力され、この電気信号は出力端子から同軸ケーブルを介してテレビ受信機などに供給される。この出力端子から出力される電気信号をモニタするモニタ端子が、前記機器ケースに前記出力端子と並列に設けられている。
【０００５】
前記出力端子には同軸ケーブルが接続されるが、モニタ端子は前記電気信号をモニタする場合以外は、露出状態になるので、屋外に設けられる場合などにおいて、防水キャップにて防水対策を施したいという要求がある。
【０００６】
また、そのような防水キャップは、コストダウンの観点から、ディップ成形により製造したいという要求もある。ここで、ディップ成形は、金型表面にゾルを附着させて成形する方法で、予熱した金型をゾル中に浸漬した後、ゆっくり引き上げ直ちに加熱炉でゲル化させ、冷却、離型する方法である。金型に接した内面寸法は比較的精度が高く、外面はラフになり、成形品の厚みは予熱温度とゾルの粘度により調節できる。
【特許文献１】特開平５−２９０９２０号公報（段落０００７〜００１０および図１、図２）
【特許文献２】特開２００５−２５０９４９２０号公報（段落００１３および図１）
【発明の開示】
【発明が解決しようとする課題】
【０００７】
前記モニタ端子を防水キャップにて単に覆うだけでは、防水キャップ内にモニタ端子の突出部分が収納されているので、前記電気信号をモニタするために防水キャップを取り外そうとして、誤って防水キャップを介してモニタ端子を掴み、うまく取り外せないおそれがある。このような光受信機は、制限された狭い場所に設けられる場合もあるので、作業性よく取り外したい要求がある。また、モニタ端子にはねじが設けられているため、防水キャップが破れてしまうおそれもある。
【０００８】
このような防水キャップは、コストダウンの観点から、通常、ディップ成形により、例えば塩化ビニル樹脂を用いて製造するため、外観形状を工夫することは困難である。
【０００９】
この発明は、取り外しの際に、防水キャップのうち把持すべき部分を明確に視認でき、防水キャップを作業性よく取り外せることを目的とする。
【課題を解決するための手段】
【００１０】
請求項１の発明は、電子機器ケースにおける円筒状の開孔部を覆う防水キャップであって、前記開孔部に外嵌される円筒状の第１の部分と、前記第１の部分の先端側に配置され、かつ軸線方向に延びる少なくとも１つの平面部を有するとともに筒状で先端部が閉塞されている第２の部分とを備えることを特徴とする。なお、この防水キャップは、製造方法については特に制限されないが、安価に製造することができるディップ成形に最適である。
【００１１】
このようにすれば、第２の部分は、軸線方向に延びる少なくとも１つの平面部を有することで、円筒状の第１の部分とは外観が明確に異なるので、作業者は、第１の部分は内部に接栓が収納されている可能性があり、第２の部分を把持して取り外せばよいことがわかる。
【００１２】
よって、取り外しの際に、防水キャップのうち把持すべき部分が、平面部を有する第２の部分であると明確に視認でき、防水キャップを作業性よく取り外することができる。
【００１３】
この場合、請求項２に記載のように、前記第１の部分と第２の部分との間に、前記第１の部分より径が小さい円筒状の第３の部分が設けられている構成とすることができる。
【００１４】
このようにすれば、第３の部分は、軸線方向に延びる少なくとも１つの平面部を有することで、円筒状の第１の部分や第２の部分とは外観が明確に異なるので、作業者は、第２の部分は内部に接栓が収納されている可能性があり、第３の部分を把持して取り外せばよいことがわかり、取り外しの際に、防水キャップを作業性よく取り外することができる。
【００１５】
請求項３に記載のように、前記第３の部分は、互いに対向して軸線方向に延びる２つの平面部を有する構成とすることができる。
【００１６】
このようにすれば、前記第３の部分は、互いに対向して軸線方向に延びる２つの平面部を有する構成とすることで、円筒状の第１の部分や第２の部分とは外観が明確に異なるようにすることができる。
【００１７】
また、請求項４に記載のように、前記第２の部分は、基端部側から先端側に向かって断面積が徐々に小さくなっている構成とすることができる。
【００１８】
このようにすれば、断面積が徐々に小さくなっていることで、把持すべき部分をより明確に視認することができる。
【００１９】
請求項５に記載のように、前記第１の部分は、内周面に凹凸が形成されている構成とすることが望ましい。
【００２０】
このようにすれば、第１の部分が円筒状の開孔部の外周面に密着するのが回避され、取り外しの際に、無理なく取り外すことができる。
【００２１】
請求項６の発明は、電子機器ケースにおける円筒状の開孔部から突出する接栓の突出部分を防水キャップにて覆う電子機器の防水構造であって、前記防水キャップは、前記開孔部に外嵌され、前記接栓の突出部分を覆った状態で前記接栓の突出部分先端の外側に位置する円筒状の第１の部分と、前記第１の部分の先端側に配置され、かつ軸線方向に延びる少なくとも１つの平面部を有するとともに筒状で先端部が閉塞されている第２の部分とを備えることを特徴とする。
【００２２】
このようにすれば、第２の部分は、軸線方向に延びる少なくとも１つの平面部を有するので、筒状の第１の部分とは外観が明確に異なるので、作業者は、第２の部分を把持して取り外せばよいことが容易に判断することができる。よって、第１の部分を誤って把持する可能性が大幅に低減される。
【００２３】
請求項７に記載のように、前記第１の部分と第２の部分との間に、前記第１の部分の先端部に基端部が連続し前記第１の部分より径が小さい円筒状で、前記接栓の突出部分を覆った状態で前記接栓の突出部分先端の外側に位置する第３の部分が設けられている構成とすることもできる。
【００２４】
このようにすれば、第２の部分は、軸線方向に延びる少なくとも１つの平面部を有するので、円筒状の第１の部分や第３の部分とは外観が明確に異なるので、作業者は、第２の部分を把持して取り外せばよいことを容易に判断することができる。よって、第３の部分を誤って把持する可能性が大幅に低減される。
【００２５】
請求項８に記載のように、前記第２の部分と第３の部分との寸法関係は、前記キャップの着脱時に前記第３の部分の平面部を把持した際に、前記第３の部分の内周面が前記接栓に接するかあるいは前記接栓との間に隙間を有するように設定される構成とすることができる。
【００２６】
このようにすれば、第２の部分の平面部を把持した際に、前記第３の部分の内周面が前記接栓に接するかあるいは前記接栓との間に隙間を有するように設定されているので、第２の部分を把持して取り外す際に、防水キャップの内面が接栓のねじ部分によって阻害されるのが回避される。
【発明の効果】
【００２７】
本発明は、以上のように、防水キャップの第２の部分を、第１の部分の先端側に配置され、かつ軸線方向に延びる少なくとも１つの平面部を有するとともに筒状で先端部が閉塞されている構成として、単純な円筒状の第１の部分とは外観が明確に異なるようにしたので、作業者は、第１の部分の内部には接栓が収納されおり、第２の部分を把持して取り外せばよいと容易に判断することができる。よって、取り外しの際に、防水キャップのうち把持すべき部分（第２の部分）を明確に視認でき、防水キャップを作業性よく取り外すことができる。
【発明を実施するための最良の形態】
【００２８】
以下、本発明の実施の形態を図面に沿って説明する。
【００２９】
図１は本発明に係る一実施の形態である防水キャップが用いられる光受信機の外観を示す斜視図である。
【００３０】
図１に示すように、光受信機１は、一面（図１においては上面）が開放される機器ケース２を備え、この機器ケース２の両側面後部には、ケーシングカバー３を、ヒンジ片３ａの部分で回転可能に支持する一対の係合凸部２ｃが形成されている。これにより、機器ケース２にケーシングカバー３が開閉可能に設けられる。
【００３１】
機器ケース２の前記一面側にファイバトレイ（図示せず）が取り外し可能に嵌め込まれ、機器ケース２の内部（図１において底部）には、電源部と、この電源部によって電力を供給され（放送系の）光信号を電気信号に変換する光受信増幅部とが設けられている。この光受信増幅部に入力された光信号は、光受信増幅部において電気信号に変換され、増幅される。この増幅された電気信号は、機器ケース２の下面に形成される円筒状の開孔部２ａから先端部が突出している出力端子５から出力される。この出力端子５から出力される電気信号をモニタするモニタ端子６が、機器ケース２の下面部に出力端子５と並列に設けられている。モニタ端子６も、機器ケース２の下面に形成される円筒状の開孔部２ｂから先端部が突出している。なお、電気信号はテレビ放送信号であり、この電気信号は出力端子５からは同軸ケーブルを介してテレビ受信機などに供給される。
【００３２】
モニタ端子６は、出力端子５から出力される電気信号をモニタする場合以外は、突出部分が露出状態にあるので、防水対策として防水キャップ１１を開孔部２ｂに着脱可能に装着することで、覆われるようになっている。
【００３３】
この防水キャップ１１は、ディップ成形されるもので、図２（ａ）〜（ｅ）に示すように、機器ケース２（電子機器ケース）の下面における円筒状の開孔部２ｂに外嵌される円筒状の第１の部分１１Ａと、この第１の部分１１Ａの先端側に配置され、筒状で先端部が閉塞されている第２の部分１１Ｂとを備える。そして、第１の部分１１Ａと第２の部分１１Ｂとの間に、第１の部分１１Ａより径が小さい円筒状の第３の部分１１Ｃが設けられている。
【００３４】
そして、第２の部分１１Ｂは、互いに対向して軸線方向に延びる２つの平面部１１Ｂａ，１１Ｂａを有し、基端部側から先端側に向かって断面積が徐々に小さくなっている。また、平面部１１Ｂａ，１１Ｂａの基端部側の部分の幅が第２の部分１１Ｂの径より小さくなっている。なお、平面部１１Ｂａ，１１Ｂａは湾曲部１１Ｂｂ，１１Ｂｂによって周方向において連結され、第２の部分１１Ｂも筒状となっている。
【００３５】
そして、防水キャップ１１は、円筒状の開孔部２ｂに外嵌された状態では、円筒状の開孔部２ｂから突出するモニタ端子６（接栓）の突出部分を覆っている。モニタ端子６の突出部分を覆った状態で、モニタ端子６の突出部分先端の外側に第１の部分１１Ａ及び第３の部分１１Ｃが位置するようになっている（図２（ｅ）参照）。つまり、モニタ端子６の突出部分の先端は、第２の部分１１Ｂ内には位置せず、第２の部分１１Ｂの内部は中空状態となっている。
【００３６】
このようにすれば、防水キャップ１１の取り外しの際に、第２の部分１１Ｂは、第１の部分１１Ａや第３の部分１１Ｃとは外観が大きく異なるので、作業者は、モニタ端子６の突出部分は第３の部分１１Ｃ内に位置し、第２の部分１１Ｂの平面部１１Ｂａ，１１Ｂａを把持して、取り外しができると判断できる。よって、光受信機１が設置されている作業空間が狭くても、防水キャップ１１のうち把持すべき部分（第２の部分１１Ｂ）を明確に視認できるので、防水キャップ１１を作業性よく取り外せる。
【００３７】
前述した実施の形態は、互いに対向して軸線方向に延びる２つの平面部１１Ｂａ，１１Ｂａを設けただけであるが、その場合に、第２の部分１１Ｂと第３の部分１１Ｃとの寸法関係は、キャップ１１の着脱時に第２の部分１１Ｂの平面部１１Ｂａ，１１Ｂａを把持した際に、第３の部分１１Ｃの内周面がモニタ端子６に接するかあるいはモニタ端子６との間に隙間を有するように設定されていることが望ましい。例えば図３に示すように、第２の部分１１Ｂ’は、相互に対向して軸線方向に延びる２つの平面部１１Ｂａ’，１１Ｂａ’を有し、それら平面部１１Ｂａ’，１１Ｂａ’の基端部側間隔Ｌが、防水キャップ１１が開孔部２ｂに外嵌されたときに第３の部分１１Ｃの内周面とモニタ端子６の外周面との間に形成される隙間の幅Ｗの２倍よりも小さくすることで実現できる。
【００３８】
そのほか、本発明は、次のように構成することも可能である。
【００３９】
(i)防水キャップ１１は、光受信機１のモニタ端子６の突出部分を覆うものとして用いているが、他の電子機器における接栓の突出部分を覆う防水キャップとして用いることも可能である。
【００４０】
(ii)第２の部分１１Ｂは、互いに対向して軸線方向に延びる２つの平面部１１Ｂａ，１１Ｂａを有する構成としているが、軸線方向に延びる１つの平面部を有する構成とすることも可能である。
【００４１】
(iii)第２の部分は平面部１１Ｂａ，１１Ｂａを、湾曲部１１Ｂｂ，１１Ｂｂで周方向において連結することで筒状としているが、それら平面部１１Ｂａ，１１Ｂａを平面部で連結して矩形筒状とすることも可能である。
【００４２】
(iv)第２の部分１１Ｂは、平面部１１Ｂａ，１１Ｂａの間隔が徐々に狭くなることで、基端部側から先端側に向かって断面積が徐々に小さくし、第２の部分１１Ｂを把持部と認識させる上で有利な構成としているが、２つの平面部を単に平行に配置する構成とすることも可能である。
(v)図４（ａ）〜（ｄ）に示すように、第１の部分１１Ａの内周面に、例えばローレット切り等による凹凸Ｓ（図４（ｃ）（ｄ）参照）を形成することもできる。このようにすれば、第１の部分１１Ａが円筒状の開孔部２ｂの外周面に密着するのを回避して、取り外しの際に、無理なく取り外すことができる。この凹凸は、第１の部分１１Ａの内周面全体にわたって設けてもよいし、一部に設けるだけでもよい。
(vi)前記実施の形態では、第１〜第３の部分１１Ａ〜１１Ｃで構成しているが、図５（ａ）〜（ｅ）に示すように、防水キャップ２１を、基端側の円筒状の第１の部分２１Ａと、先端側の、第２の部分２１Ｂとで構成することも可能である。この場合、第２の部分２１Ｂが第１の部分２１Ａの先端側に配置され、軸線方向に延びる平面部２１Ｂａ，２１Ｂａを有するとともに筒状で先端部が閉塞されている。
【図面の簡単な説明】
【００４３】
【図１】本発明に係る一実施の形態である防水キャップが用いられる光受信機の外観を示す斜視図である。
【図２】（ａ）は前記防水キャップを前側斜め上方から見た状態を示す斜視図、（ｂ）は前記防水キャップを後側斜め上方から見た状態を示す斜視図、（ｃ）は前記防水キャップの側面図、（ｄ）は図２（ｃ）のＡ−Ａ線における断面図、（ｅ）は図２（ｄ）のＢ−Ｂ線における断面図である。
【図３】別の実施の形態を示す図２（ｅ）と同様の図である。
【図４】他の実施の形態を示すもので、（ａ）は側面図、（ｂ）は正面図、（ｃ）は図４（ａ）のＥ−Ｅ線における断面図、（ｄ）は図４（ｃ）のＦ−Ｆ線における断面図である。
【図５】さらに別の実施の形態を示すもので、（ａ）は先端側から見た斜視図、（ｂ）は基端側から見た斜視図、（ｃ）は側面図、（ｄ）は図５（ｃ）のＣ−Ｃ線における断面図、（ｅ）は図５（ｄ）のＤ−Ｄ線における断面図である。
【符号の説明】
【００４４】
１    光受信機
２    機器ケース
２ｂ    開孔部
６    モニタ端子
１１，２１    防水キャップ
１１Ａ，２１Ａ    第１の部分
１１Ｂ，２１Ｂ    第２の部分
１１Ｂａ，１１Ｂａ’，２１Ｂａ    平面部
１１Ｃ，１１Ｃ’    第３の部分
【図１】
2008103165.tif 000003
【図２】
2008103165.tif 000004
【図３】
2008103165.tif 000005
【図４】
2008103165.tif 000006
【図５】
2008103165.tif 000007